(57)【要約】  ソケットコンタクトは、嵌合部、圧着部、前記嵌合部と前記圧着部とが接続する移行領域とを備える。前記嵌合部は、２つの対面する側壁によって連結された頂部壁と底部壁とを含む。前記頂部壁、前記底部壁、前記２つの対面する側壁は、少なくとも一端で開口し、ピンコンタクトを受容するように構成されたコンタクトボックスを形成する。前記コンタクトボックスは、第一コンタクト梁および第二コンタクト梁を含む。第一コンタクト梁および第二コンタクト梁の各々は、自由端および固定端を含む。前記自由端は、複数のコンタクト指部を備える。前記第一コンタクト梁および前記第二コンタクト梁の各々は、複数の接触点を有する。【選択図】図３
2011530154.tif 000002
【特許請求の範囲】
【請求項１】
ソケットコンタクト（１００）であって、
嵌合部（１０１）、圧着部（１０３）、前記嵌合部と前記圧着部とを接続する移行領域（１０５）とを含み、
前記嵌合部は、２つの対面する側壁（１１１，１１３）によって連結された頂部壁（１０９）と底部壁（１１５）と、を含み、
前記側壁、前記頂部壁、前記底部壁は、コンタクトボックス（１０７）の少なくとも１つの端部に開口（１３３）を形成し、
前記コンタクトボックスは、相手ピンコンタクト（７０１）を受容するように構成され、
前記コンタクトボックスは、第一コンタクト梁（２０１）と第二コンタクト梁（２１１）を含み、前記第一コンタクト梁と前記第二コンタクト梁の各々は、自由端（２０２，２１３）と固定端（２０４）を備え、
前記自由端は、複数のコンタクト指部（３０１，４０１）を含み、
前記第一コンタクト梁と前記第二コンタクト梁の各々は、複数の接触点（２０５，２０７，２０９，２１０）を備えることを特徴とするソケットコンタクト。
【請求項２】
前記複数のコンタクト指部は、少なくとも１つの接触点をそれぞれ含むことを特徴とする請求項１記載のソケットコンタクト。
【請求項３】
前記第一コンタクト梁および前記第二コンタクト梁の各々は、少なくとも３つの接触点を含むことを特徴とする請求項１記載のソケットコンタクト。
【請求項４】
前記接触点は、６点以下で前記コンタクトボックス内に配置された前記ピンコンタクトと物理的に接触するように整列かつ配置されていることを特徴とする請求項１記載のソケットコンタクト。
【請求項５】
前記第一コンタクト梁は、ピンコンタクトの挿入力を低下させるように一端が飛び出していることを特徴とする請求項１記載のソケットコンタクト。
【請求項６】
前記第二コンタクト梁は、ピンコンタクトを安定化させるように片持ち状になっていることを特徴とする請求項１記載のソケットコンタクト。
【請求項７】
前記コンタクト指部は柔軟であることを特徴とする請求項１記載のソケットコンタクト。
【請求項８】
前記第一コンタクト梁または前記第二コンタクト梁は、予め決められた梁の剛性と垂直力を達成するためのエンボス加工リブ（２０３）を含むことを特徴とする請求項１記載のソケットコンタクト。
【請求項９】
前記コンタクトボックスは、前記第一コンタクト梁と前記第二コンタクト梁間の一定の分離距離を決定するように前記開口を通じて光線を投影するように構成された開口（２２１）を含むことを特徴とする請求項１記載のソケットコンタクト。
【発明の詳細な説明】
【技術分野】
【０００１】
本発明は、一般的に電気コンタクトに関し、特にはシールされたコネクタに用いられるワイヤコンタクトに関する。
【背景技術】
【０００２】
従来から電気コンタクトまたはワイヤコンタクトがワイヤ接続に用いられている。ワイヤコンタクトは、永続的接続とするためにワイヤと接続させる強力な機械的手段、および電気的接続を形成するために相手コンタクトと嵌合させるための手段が必要となる。例えば、ワイヤコンタクトは、ワイヤ接続するための圧着端、および相手コンタクトのための雄嵌合端または雌嵌合端を備える。いくつかのコンタクトは、金属ストリップまたは予めめっきされた金属ストリップが打ち抜かれ、その後適切な形状となるように折り曲げられることで形成される。これらコンタクトは、一般的にピンまたはブレード型嵌合端を備えるコンタクトに嵌合するように形成された箱形の嵌合部を備える。箱形の嵌合端を備えるコンタクトは、コネクタキャビティ内に嵌合するように外部サイズと形状、および相手コンタクトのピンまたはブレードコンタクトを受容し、保持する機械的および電気的な接続手段とするための内部設計が要求される。嵌合端にほぼボックス形状を備える従来のコンタクトにおいて、コンタクトすなわち柔軟な梁は、相手ピンコンタクトを受容し、保持するための手段である場合がある。
【発明の概要】
【発明が解決しようとする課題】
【０００３】
しかしながら、公知のコネクタは、２つの点で、ピンすなわち相手コンタクトに接触し、嵌合する。このことにより、電気的な接続の安定性が減少し、十分な物理的な接触が不足し、コネクタは接続減少または接続ロスをしやすくなる。さらに、振動や他の動きや移動によって、接続ロスが生じる場合もある。
【０００４】
さらに、いくつかの公知のコネクタは、コンタクト梁による垂直力の制御能力を低下させ、コネクタの嵌合力を増大させ、許容感度を増大させる高ばね力を有するコンタクト梁を備える。他の問題点は、相手ピンへ露出したコンタクト梁により、コンタクト梁が外部要因からの損傷から保護されないために生じる場合もある。
【課題を解決するための手段】
【０００５】
課題を解決するための手段は、以下記載されるように、嵌合部、圧着部、前記嵌合部と前記圧着部とが接続する移行領域とを備えるソケットコンタクトによって与えられる。前記嵌合部は、２つの対面する側壁によって連結された頂部壁と底部壁とを含む。前記頂部壁、前記底部壁、前記２つの対面する側壁は、少なくとも一端で開口し、ピンコンタクトを受容するように構成されたコンタクトボックスを形成する。前記コンタクトボックスは、第一コンタクト梁および第二コンタクト梁を含む。第一コンタクト梁および第二コンタクト梁の各々は、自由端および固定端を含む。前記自由端は、複数のコンタクト指部を備える。前記第一コンタクト梁および前記第二コンタクト梁の各々は、複数の接触点を有する。
【図面の簡単な説明】
【０００６】
【図１】図１は、本発明の例示的な実施形態の側面から見た斜視図である。
【図２】図２は、図１に係るコンタクトボックスの中央で切断した側面断面図である。
【図３】図３は、頂部壁が取り除かれた図１に係るコンタクトのコンタクトボックスの上から見た斜視図である。
【図４】図４は、底部壁と側壁が取り除かれたコンタクトボックスの下から見た斜視図である。
【図５】図５は、本発明の一実施形態に係るコンタクトボックスの後ろから見た部分断面図である。
【図６】図６は、本発明の一実施形態に係るコンタクトボックスの前から見た部分断面図である。
【図７】図７は、コンタクトピンが挿入された図１に係るコンタクトボックスの中央で切断した側面断面図である。
【発明を実施するための形態】
【０００７】
添付の図面を参照して、以下実施形態を説明する。本願を通じて、可能な限り、同様の部材に言及する際には、同じ符号を用いている。
【０００８】
例示的な実施形態を説明する図面を参照する前に、本願が以下の記載や図示によって説明された詳細や手順に限られないことが理解されるべきである。さらに、本願で用いられる専門用語および言葉遣いは、記載の都合上用いられるものであって、限定に解釈されるべきでないことも理解されるべきである。
【０００９】
図１は、嵌合部１０１、圧着部１０３、移行部（領域）１０５を含むソケットコンタクト１００の斜視図である。嵌合部１０１は、相手ピンコンタクト７０１（図７参照）を受容するためのコンタクトボックス１０７を含む。例示的な実施形態に示されるように、嵌合部１０１は、頂部壁１０９、２つの側部壁１１１、１１３と底部壁１１５を備える略ボックス形状である。コンタクト１００は、折られた曲形状の前部フラップ１２８を含む。折られた曲形状の前部フラップ１２８は、コンタクトボックス１０７内に相手ピンコンタクト７０１が挿入される間に、相手ピンコンタクト７０１による損傷から第一コンタクト梁２０１（図２参照）を保護する。フラップ１２８は、嵌合挿入の際の干渉を防止し、導通検査のための位置を与える。さらに、折られた前部フラップ１２８は、コンタクト１００がシールされたコネクタ内に挿入されると、最初にシールに接触するように、丸い、曲面の表面を与える。曲面の表面により、圧迫やシールの伸びは減少し、ゆえに、シールを損傷する可能性が減少する。
【００１０】
さらに、コンタクト１００は、さらにシール損傷を防止するために、コンタクトボックス１０７の頂部に円滑な導入部を与えるための傾斜した導入前縁１２９，１３１を含む。例示的な実施形態において、コンタクトボックス１０７の前端で、コンタクトボックスの側壁１１１，１１３は、それぞれ導入縁１２９，１３１を含む。導入縁１２９，１３１は、シールの損傷または切断に対するさらなる保護を与えるために潰し加工される。前部開口１３３は、折られた前部フラップ１２８上に位置し、コンタクトボックス１０７の壁部１０９，１１１，１１３および１１５によってほぼ規定される。前部開口１３３は、相手コンタクトピン７０１（図７参照）を受容する。
【００１１】
図１および２を参照すると、移行領域１０５は、嵌合部１０１と圧着部１０３間を延伸する。移行領域１０５は、コンタクトボックス１０７の底部壁１１５から圧着部１０３の底部壁１２３まで延伸する底部壁１２１を含む。移行領域１０５は、底部壁１２１から頂部縁１２７まで延伸する側壁を含む。さらに、図１および２に示されるように、側壁１２５の移行領域の頂部縁１２７は、圧着部１０３に近接した低点から両側壁１２５がコンタクトボックス１０７の側壁１１１，１１３にそれぞれ合流する頂部まで傾斜している。傾斜した頂部縁１２７は、ケーブル内のシールドより線がシールとの接触を防止するために、圧着の際に側壁１１１，１１３を内方へ部分的に変形させる。さらに、傾斜した頂部縁１２７は、圧着部の曲げに対する力を増加させる。さらに、コンタクトボックス１０７は、生産の際に梁ギャップを測定可能なようにコンタクトボックス１０７の後端を貫通して光投影する開口２２１を含む。本実施形態で用いられる”梁ギャップ”には、第一コンタクト梁２０１と第二コンタクト梁２１１間の距離を含む。例えば、梁ギャップは、相手ピンコンタクト７０１が挿入されたりする場合の第一中央接触点２０５と第二中央接触点２０９間の距離に対応してもよい。開口２２１を通しての梁ギャップの測定法は、ソケットコンタクト１００の検査を可能にし、相手ピンコンタクト７０１を挿入するために必要となる力に対応する第一梁２０１と第二梁２１１の垂直力を調整するという製造の際の調整を可能にする。
【００１２】
図２は、図１に係るソケットコンタクト１００の２−２線で切断した断面図である。図２に示されるように、さらに、嵌合部１０１は、コンタクトボックス１０７が形成された同じ材料シートから形成されてもよい第一コンタクト梁２０１を含む。別の形態では、第一コンタクト梁２０１は分離して形成され、コンタクトボックス１０７内に挿入されてもよい。第一コンタクト梁２０１は、コンタクトボックス１０７の長手に沿った固定端から自由端２０２まで延伸し、第一コンタクト梁２０１は、自由端２０２上の挿入力を受けて柔軟にできる。固定端は、第一コンタクト梁２０１がコンタクトボックス１０７に装着され、または一体形成される装着点を含む。第一コンタクト梁２０１は、コンタクトボックス１０７の前部開口１３３を備える端部の逆の端部に近接した捩り要素２０４で側壁１１１，１１３に固定される。しかしながら、第一コンタクト梁２０１は、自由端２０２までの第一コンタクト梁２０１の片持ちばねを可能にする任意の適切な方法で、コンタクトボックス１０７へ固定されてもよい。第一コンタクト梁２０１は、相手ピンコンタクト７０１（例えば、図７参照）の挿入のための所望の垂直力を達成するための増大した梁の剛性を与えるためのエンボス加工リブ２０３を含む。エンボス加工リブ２０３は、梁の大部分が垂直力のために用いられるように、機械的応力を分散させる。これにより嵌合のために必要となる垂直力を生むことに役立つ補助スプリングの必要性が少なく、または、なくなる。第一コンタクト梁２０１は、第一中央接触点２０５と、自由端２０２での２つの指部接触点２０７のセットとを含む。
【００１３】
さらに、図２に示されるように、ソケットコンタクト１００は、頂部壁１０９に沿って固定端から延伸する第二コンタクト梁２１１を含む。第二コンタクト梁２１１は、コンタクトボックス１０７が形成された同じ材料シートから形成されてもよい。別の形態では、第二コンタクト梁２１１は分離して形成され、コンタクトボックス１０７内に挿入されてもよい。第一コンタクト梁２０１のように、第二コンタクト梁２１１は、自由端２１３と、第二中央接触点２０９と、２つの指部接触点２１０の第二セットを含む。第一コンタクト梁２０１の接触点２０５，２０７と第二コンタクト梁２１１の接触点２０９，２１０は、物理的に相手ピンコンタクト７０１と接触する少なくとも６位置（図５または６参照）を与える。複数の物理的な接触位置は、良好な電気接続を与え、振動、不快音、非意図的な接続不良に対する抵抗を与える。制限されるものではないが、第二コンタクト梁２１１は、頂部壁１０９の一部を下方へ折り曲げ、接触点２０９，２１０を形成するように形成されてもよい。
【００１４】
図３、図５〜６に示されるように、第一コンタクト梁２０１は、２つのコンタクト指部３０１から構成された分割部を含む。図５は、図１の実施形態に係るコンタクトボックス１０７の後ろから見た部分断面図である。図６は、図１の実施形態に係るコンタクトボックス１０７の前から見た部分断面図である。コンタクト指部３０１は、コンタクト指部３０１の表面に沿って指部接触点２０７を含む。第一コンタクト梁２０１は、前部開口１３３近傍に柔軟性がなく固定された中央接触点２０５と、２つの柔軟なコンタクト指部３０１の各々にある１つの指部接触点２０７を含む。指部接触点２０７と第一中央接触点２０５は、相手ピンコンタクト７０１と接触点２０５，２０７間の物理的な同期接触を与えるように、第一コンタクト梁２０１に沿って整列され、配置される。一旦所定位置に配置されると、相手コンタクトピン７０１（例えば図７参照）は、捩れや不整列を防止する３点以下（好適には３点）の物理的接触点２０５，２０７を与える。
【００１５】
図４および図５、６に示されるように、第二コンタクト梁２１１は、２つのコンタクト指部４０１から構成された分割部を含む。コンタクト指部４０１は、コンタクト指部４０１の表面に沿って指部接触点２１０を含む。第二コンタクト梁２１１は、前部開口１３３近傍に柔軟性がなく固定された中央接触点２０９と、２つの柔軟なコンタクト指部４０１の各々にある１つの指部接触点２１０を含む。指部接触点２１０と第二中央接触点２０９は、相手ピンコンタクト７０１と接触点２０９，２１０間の物理的な同期接触を与えるように、第二コンタクト梁２１１に沿って整列され、配置される。一旦所定位置に配置されると、相手コンタクトピン７０１（例えば図７参照）は、捩れや不整列を防止する３点以下（好適には３点）の物理的接触点２０９，２１０を与える。これら３点の接触点２０５，２０７は、好適には、第一コンタクト梁２０１により生じる力に抵抗するために、大きさが同じで反対の力を与える。これら３点の接触点２０９，２１０は、第二コンタクト梁２１１によって生じた力に抵抗するために、好適には、大きさが同じで反対の力を与える。
【００１６】
図７は、相手ピンコンタクト７０１が、コンタクトボックス１０７内に挿入された図１に係るソケットコンタクト１００の２−２方向で切断された断面図である。第一コンタクト梁２０１と第二コンタクト梁２１１の各々は、相手ピンコンタクト７０１を挿入させるように撓む。相手ピンコンタクト７０１は、第一コンタクト梁２０１にある３点の接触点２０５，２０７および第二コンタクト梁２１１にある３点の接触点２０９，２１０に対応して、６個以下の接触点２０５，２０７，２０９，２１０（図５および６も参照）と物理的に接触する。上記で”ピンコンタクト”について説明してきたが、本発明は特に限定されることなく、タブ、ワイヤ、プラグや電気コンタクト装置などのコンタクトボックス１０７内に挿入可能である任意の電気コンタクトの構成を含んでもよい。
【００１７】
相手ピンコンタクト７０１の挿入の間、相手ピンコンタクト７０１は、分岐コンタクト指部３０１にある２つの接触点２０７に接触して、嵌合力を減ずるように持ち上げ力を与える。具体的には、第一コンタクト梁２０１は、捩り要素２０４から自由端２０２まで一定距離で片持ち状となり、低下させられた垂直力に対応して持ち上げ力を生じさせる。柔軟性がなく固定された中央接触点２０９は、第一コンタクト梁２０１の持ち上げが終了した後、相手ピンコンタクト７０１と接触する。相手ピンコンタクト７０１の挿入が継続されるにつれて、相手ピンコンタクト７０１は、第一中央接触点２０５と指部接触点２１０と物理的に接触する。それゆえ、相手ピンコンタクト７０１の挿入には、小さい力、および／または、低嵌合角かつめっき摩耗が少ないことが必要である。さらに、コンタクト指部３０１，４０１の柔軟性によって、機械的安定性および／または電気的安定性を得るよう完全に嵌合となったとき、６個以下の接触点２０５，２０７，２０９，２１０が同時に相手ピンコンタクト７０１と接触する。２つの分岐コンタクト指部３０１，４０１は、相手ピンコンタクト７０１が接触点２０５，２０７，２０９，２１０の各点と物理的に接触するように配置されているように、少なくとも幾分かの抵抗力を生じさせる。残りの抵抗力は、固定された中央接触点２０５，２０９によって与えられる。さらに、２つの分岐コンタクト指部３０１，４０１と対応する指部接触点２０７，２１０は、振動の際の移動防止のための安定性を与える。
【００１８】
以上の実施形態は例示的なものであって、本発明の範囲から逸脱することなく、多くの変更を加え、等価物で対応要素を置換することができる。さらに、本発明の本質的な範囲から逸脱することなく、特定の状況または材料を本発明の教示に適合させるために、多くの変更を加えることができる。それゆえに、本発明は、本発明を実施するための最も好適な形態として開示された特定の実施形態に限定されるものではなく、本発明は、本願請求項の範囲内であれば、全ての実施形態を含むものである。
【符号の説明】
【００１９】
１００・・・ソケットコンタクト
１０１・・・嵌合部
１０３・・・圧着部
１０５・・・移行領域
１０７・・・コンタクトボックス
１０９・・・頂部壁
１１１，１１３・・・側壁
１１５・・・底部壁
１３３・・・開口
２０１・・・第一コンタクト梁
２０２，２１３・・・自由端
２０３・・・エンボス加工リブ
２０４・・・固定端
２０５，２０７，２０９，２１０・・・接触点
２１１・・・第二コンタクト梁
２２１・・・開口
３０１，４０１・・・コンタクト指部
７０１・・・相手ピンコンタクト
【図１】
2011530154.tif 000003
【図２】
2011530154.tif 000004
【図３】
2011530154.tif 000005
【図４】
2011530154.tif 000006
【図５】
2011530154.tif 000007
【図６】
2011530154.tif 000008
【図７】
2011530154.tif 000009
【国際調査報告】
2011530154.tif 000010
2011530154.tif 000011
2011530154.tif 000012